【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】
所定量のファイバ、焼き石膏及び水を混合して湿潤しゆるいファイバの混合物を作成する工程と、成形ベルトの上面に補強メッシュを広げる工程と、メッシュ上に混合物を広げて混合物からなる実質的に均等な調度を有した層を形成する工程と、メッシュを混合物層と共に圧縮して層の下面内にメッシュを埋め込んで結合したファイバ及び石膏を含む混合物の面内に埋め込まれたメッシュからなるボードを成形する工程と、ボードを乾燥して仕上ボードを製造する工程とを包有する耐衝撃性を有する石膏・ファイバボードを製造する方法。
【請求項２】
所定量のファイバ及び水を混合して湿潤しゆるいファイバの混合物を作成する工程と、湿潤したファイバを所定量の乾燥した焼き石膏と混合して混合配合物を作成する工程と、成形ベルトの上面に補強メッシュを広げる工程と、メッシュ上に混合配合物を置き混合配合物からなり実質的に均等な調度を有する層を形成する工程と、メッシュを混合配合物層と共に圧縮して層の下面内にメッシュを埋め込んで結合したファイバ及び石膏を含む混合物の面内に埋め込まれたメッシュからなるボードを製造する工程とを包有する耐衝撃性を有する石膏・ファイバボードを製造する方法。
【請求項３】
混合物の一部を圧縮工程の前にメッシュの開口部に通過させる付加工程を包有してなる請求項２記載の方法。
【請求項４】
混合物をメッシュ上に置くときメッシュを成形ベルトの上部から離間してなる請求項２記載の方法。
【請求項５】
混合物をメッシュ上に置くときメッシュを振動してなる請求項２記載の方法。
【請求項６】
混合物層に対し水を付加する工程を包有してなる請求項２記載の方法。
【請求項７】
請求項２の方法による石膏・ファイバボード製品。
【請求項８】
メッシュが石膏・ファイバボード内に完全に埋め込まれている請求項７の石膏・ファイバボード製品。
【請求項９】
メッシュが非弾性である請求項７の石膏・ファイバボード製品。
【請求項１０】
メッシュがファイバグラスである請求項９の方法による石膏・ファイバボード製品。
【請求項１１】
メッシュが織物メッシュである請求項７の石膏・ファイバボード製品。
【請求項１２】
織物メッシュがからみ織のメッシュである請求項１１の石膏・ファイバボード製品。
【請求項１３】
所定量のファイバ及び水を混合して湿潤しゆるいファイバの混合物を作成する工程と、湿潤ファイバを所定量の乾燥した焼き石膏と混合して第１の配合物を作成する工程と、成形ベルトの上面に補強メッシュを広げる工程と、メッシュ上に第１の配合物を置き第１の配合物からなる実質的に均等な調度を有する層を形成する工程と、低密度で多孔粒子混合物を水と混合して湿潤低密度粒子を供給する工程と、湿潤低密度多孔粒子を所定量の乾燥した焼き石膏と混合して第２の配合物を作成する工程と、第１の層に亘って第２の配合物を置き実質的に一定な調度を有する第２の層を形成する工程と、湿潤ファイバを所定量の乾燥した焼き石膏と混合して第３の配合物を作成する工程と、第２の層に亘って第３の配合物を置き実質的に一定の調度を有する第３の層を形成する工程と、メッシュを３層と共に圧縮して第１の層の下面内にメッシュを埋め込んで結合したファイバ及び石膏更にその面内に埋め込まれたメッシュからなるボードを製造する工程とを包有する耐衝撃性を有する石膏・ファイバボードを製造する方法。
【請求項１４】
第１の配合物の一部を圧縮工程前にメッシュの開口部に通過させる付加工程を包有してなる請求項１３の方法。
【請求項１５】
第１の混合物をメッシュ上に置くときメッシュを成形ベルトの上部から離間してなる請求項１３の方法。
【請求項１６】
第１の混合物をメッシュ上に置くときメッシュを振動してなる請求項１３記載の方法。
【請求項１７】
第１の配合物層に対し水を付加する付加工程を包有してなる請求項１３記載の方法。
【請求項１８】
請求項１３の方法による石膏・ファイバボード製品。
【請求項１９】
メッシュを石膏・ファイバボード内に完全に埋め込んでなる請求項１８の石膏・ファイバボード製品。
【請求項２０】
メッシュが非弾性である請求項１８の石膏・ファイバボード製品。
【請求項２１】
メッシュがファイバグラスである請求項２０の方法による石膏・ファイバボード製品。
【請求項２２】
メッシュが織物メッシュである請求項１８の石膏・ファイバボード製品。
【請求項２３】
織物メッシュがからみ織メッシュである請求項２２の石膏・ファイバボード製品。
【請求項２４】
成形ベルトの上面の上方にメッシュを広げた後に、メッシュの表面をバー部材又は配置ロールに接触させて、メッシュを成形ベルトから離間させる請求項１に記載の方法。
【請求項２５】
バー部材又は配置ロールが成形ベルトの幅方向に延びている請求項２４に記載の方法。
【請求項２６】
バー部材又は配置ロールが、メッシュを上動させるバー部材である請求項２４に記載の方法。
【請求項２７】
メッシュを上動させるバー部材が成形ベルトの幅方向に延び、メッシュを上動させるバー部材の上方にメッシュを通過させる請求項２６に記載の方法。
【請求項２８】
所定量のファイバ、焼き石膏及び水を混合して混合物を作成する工程と、
ボードの成形領域にある成形ベルトの上面の上方に補強メッシュを広げる工程と、
成形ベルトの上面の上方に補強メッシュを広げた後に、補強メッシュの表面をバー部材又は配置ロールに接触させて、補強メッシュを成形ベルトから離間させる工程と、
成形ベルト上に混合物を置き、ボードの成形領域にある成形ベルト上で、混合物からなり実質的に均等な調度を有する混合物層を形成する工程と、
補強メッシュを混合物層と共に圧縮して混合物層の下面内に補強メッシュを埋め込んで、結合したファイバ及び石膏及び下面内に埋め込まれた補強メッシュからなるボードを成形する工程と、
ボードを乾燥して仕上ボードを形成する工程と、を包有し、
ボードを圧縮成形してボードを乾燥する前に、補強メッシュ及び混合物を成形ベルトの成形領域へ移動させる、耐衝撃性を有する石膏・ファイバボードを製造する方法。
【請求項２９】
補強ファイバがセルロース系ファイバである請求項２８に記載の方法。
【請求項３０】
補強メッシュを混合物層と共に圧縮する前に、混合物の一部を補強メッシュの開口部に通過させる工程を更に包有する請求項２８記載の方法。
【請求項３１】
混合物の一部を、成形ベルトへ向けて、補強メッシュの開口部に通過させる請求項２８記載の方法。
【請求項３２】
バー部材又は配置ロールが成形ベルトの幅方向に延びている請求項２８に記載の方法。
【請求項３３】
バー部材又は配置ロールは、バー部材から構成され、成形ベルトの上面の上方に補強メッシュを広げた後に、補強メッシュをバー部材に接触させ、補強メッシュを成形ベルトから離間させる請求項２８に記載の方法。
【請求項３４】
バー部材が成形ベルトの幅方向に延びている請求項３３に記載の方法。
【請求項３５】
焼き石膏に水を付加し、補強メッシュと混合物層との圧縮中に混合物に含まれる焼き石膏を水和させる工程を更に包有する請求項２８に記載の方法。
【請求項３６】
ボードの成形領域の上方にメッシュを広げた後、バー部材又は配置ロールの下方に補強メッシュを通過させる請求項２８に記載の方法。
【請求項３７】
ボードの成形領域の上方にメッシュを広げた後、バー部材又は配置ロールの上方に補強メッシュを通過させる請求項２８に記載の方法。
【請求項３８】
成形ベルトと、
成形ベルトの上面の上方に離間させた補強メッシュと、ファイバ、焼き石膏、及び水の混合物からなり、成形ベルトの上面において実質的に均等な調度を有する混合物層と、混合物層の下面内に埋め込まれた補強メッシュと、を含む成形領域と、
成形ベルトの上面の上方に補強メッシュが広げられた後、補強メッシュの表面に接触し、補強メッシュを成形ベルトから離間させるバー部材又は配置ロールと、
補強メッシュを混合物層と共に圧縮し、混合物層の下面内に補強メッシュを埋め込ませて圧縮ボードを形成するプレス部と、
そこから圧縮機へ補強メッシュが延びる補強メッシュのロールと、
圧縮ボードを乾燥して仕上ボードを形成する乾燥機と、
を備える、補強メッシュが埋め込まれた石膏・ファイバボードの製造装置。
【請求項３９】
バー部材又は配置ロールが成形ベルトの幅方向に延びている請求項３８に記載の装置。
【請求項４０】
バー部材又は配置ロールがバー部材である請求項３８に記載の装置。
【請求項４１】
バー部材又は配置ロールが、成形ベルトの幅方向に延びているバー部材である請求項３８に記載の装置。
【請求項４２】
所定量のファイバ、焼き石膏、及び水を混合して、ファイバ、焼き石膏、及び水の混合物を作成する手段と、
成形ベルトの上面の上方に補強メッシュを広げる手段と、
補強メッシュを成形ベルトの上方に離間させるために補強メッシュと接触させる手段と、
補強メッシュ上に混合物を置き、混合物からなり実質的に均等な調度を有する混合物層を形成する手段と、
混合物の一部を、成形ベルトへ向けて、補強メッシュの開口部に通過させる手段と、
混合物層に水を付加する手段と、
補強メッシュを混合物層と共に圧縮して混合物層の下面内に補強メッシュを埋め込んで、結合したファイバ及び石膏及び下面内に埋め込まれた補強メッシュからなるボードを成形する手段と、
ボードを乾燥して仕上ボードを形成する手段と、を包有する、耐衝撃性を有する石膏・ファイバボードの製造装置。
【請求項４３】
補強メッシュを成形ベルトの上方に離間させるために補強メッシュと接触させる手段は、成形ベルトの上面の上方に補強メッシュを広げる前に補強メッシュと接触し、成形ベルトの上方に補強メッシュを離間させるバー部材又は配置ロールである請求項４２に記載の製造装置。
【請求項４４】
バー部材又は配置ロールが成形ベルトの幅方向に延びている請求項４３に記載の製造装置。
【請求項４５】
バー部材又は配置ロールはバー部材である請求項４３に記載の製造装置。
【請求項４６】
バー部材又は配置ロールは、成形ベルトの幅方向に延びるバー部材から構成され、バー部材の上方をメッシュが通過するようにバー部材が配置されている請求項４３に記載の製造装置。
【請求項４７】
バー部材又は配置ロールは、成形ベルトの上面の上方に補強メッシュを広げる前に、バー部材又は配置ロールの上方を補強メッシュが通過するように配置されている請求項４３に記載の製造装置。
【請求項４８】
所定量のファイバ、焼き石膏及び水を混合して混合物を作成する手段と、
ボードの成形領域にある成形ベルトの上面の上方に補強メッシュを広げる手段と、
補強メッシュの表面に接触させて補強メッシュを成形ベルトから離間させるバー部材又は配置ロールと、
成形ベルト上に混合物を置き、ボードの成形領域にある成形ベルト上で、混合物からなり実質的に均等な調度を有する混合物層を形成する手段と、
補強メッシュを混合物層と共に圧縮して混合物層の下面内に補強メッシュを埋め込んで、結合したファイバ及び石膏及び下面内に埋め込まれた補強メッシュからなるボードを成形する手段と、
ボードを乾燥して仕上ボードを製造する手段と、を包有し、
ボードを圧縮成形してボードを乾燥する前に、補強メッシュ及び混合物を成形ベルトの成形領域へ移動させる、耐衝撃性を有する石膏・ファイバボードの製造装置。
【請求項４９】
所定量のファイバ、焼き石膏及び水を混合して混合物を作成する工程と、
ボードの成形領域にある成形ベルトの上面の上方に補強メッシュを広げる工程と、
成形ベルトの上面の上方に補強メッシュを広げた後に、補強メッシュの表面をバー部材又は配置ロールに接触させて、補強メッシュを成形ベルトから離間させる工程と、
成形ベルト上に混合物を置き、ボードの成形領域にある成形ベルト上で、混合物からなり実質的に均等な調度を有する混合物層を形成する工程と、を包有する耐衝撃性を有する石膏・ファイバボードを製造する方法。
【手続補正２】
【補正対象書類名】図面
【補正対象項目名】図３
【補正方法】変更
【補正の内容】
【図３】
2000102914.tif 000001